(57)【要約】【課題】ワゴン部を使用しないときは配置スペースを大きくとらず、邪魔にならないようにでき、またワゴン部が本体部に納まった状態では本体部とワゴン部とがデザイン的に統一され、見た目の印象が良い収納庫を提供する。【解決手段】ベース板３５の幅寸法は下側収納空間２３の幅寸法より僅かに小さく、ベース板３５の奥行き寸法は下側収納空間２３の奥行き寸法より僅かに小さく設定されている。載置板３３の幅寸法は上側収納空間２１の幅寸法より僅かに小さく、載置板３３の奥行き寸法は上側収納空間２１の奥行き寸法より僅かに小さく設定されている。支持フレーム３７の厚さ寸法はフレーム収納空間２５の幅寸法より僅かに小さく設定されている。ベース板３５はキャスター４１と共に下側収納空間２３に、載置板３３は上側収納空間２１に、支持フレーム３７、３７はフレーム収納空間２５、２５にそれぞれ収納できる。【選択図】        図１
0003149379.tif 000002
【実用新案登録請求の範囲】
【請求項１】
前面に開口を有し、収納部を備えた本体部と、本体部とは独立し、キャスターを有するワゴン部と、前記本体部に設けられ、開口と連なる空間部とを有する収納庫において、前記ワゴン部は本体部の開口から空間部へ進入して、空間部に納まり、且つワゴン部が空間部に納まった状態でも前記収納部に対し物品の出し入れが可能であることを特徴とする収納庫。
【請求項２】
請求項１に記載した収納庫において、ワゴン部が本体部の空間部に納まった状態では、ワゴン部の前面部と本体部の前面部とは略同一面となることを特徴とする収納庫。
【請求項３】
請求項１または２に記載した収納庫において、ワゴン部には、ワゴン部が本体部の空間部に納まった状態で本体部の開口から突出する把持部が備えられていることを特徴とする収納庫。
【請求項４】
請求項１から３のいずれかに記載した収納庫において、ワゴン部が本体部の空間部に納まった状態では、本体部とワゴン部とはデザイン的に統一されていることを特徴とする収納庫。
【請求項５】
請求項１から４のいずれかに記載した収納庫において、ワゴン部は椅子として用いることを特徴とする収納庫。
【考案の詳細な説明】
【技術分野】
【０００１】
本考案は収納庫に係り、特に独立したワゴン部を備える収納庫に関するものである。
【背景技術】
【０００２】
キッチンには台所用品を収納しておく収納庫が配置されており、この収納庫には皿に盛った料理等を一時的に置くための引出し式のワゴン部を備えたものがある。この種の収納庫としては特許文献１に示すものがある。この収納庫はワゴン部が収納庫本体に取付けられているものであるため、ワゴン部の使用範囲が限られてしまうという不都合がある。
一方、収納庫とは別にキャスターを有したワゴン部もある。この種のワゴン部は自由な移動ができるという利点を有している。
【先行技術文献】
【特許文献】
【０００３】
【特許文献１】特開２００４−１０５４８７号公報
【考案の概要】
【考案が解決しようとする課題】
【０００４】
しかしながら、収納庫とは独立したワゴン部を備えると、ワゴン部を使用しないときは配置スペースを大きくとってしまい邪魔になるという問題がある。
また、収納庫とワゴン部とは独立のものであるためにデザイン的な統一感が無く、見た目の印象が良くないという問題がある。
本考案は、上記従来の問題点に着目して為されたものであり、収納部を備えた本体部とは独立したワゴン部を備えても、ワゴン部を使用しないときは配置スペースを大きくとらず、邪魔になることはなく、またワゴン部が本体部に納まった状態では本体部とワゴン部とがデザイン的に統一され、見た目の印象が良い収納庫を提供することを目的とする。
【課題を解決するための手段】
【０００５】
本考案は上記課題を解決するためになされたものであり、請求項１の考案は、前面に開口を有し、収納部を備えた本体部と、本体部とは独立し、キャスターを有するワゴン部と、前記本体部に設けられ、開口と連なる空間部とを有する収納庫において、前記ワゴン部は本体部の開口から空間部へ進入して、空間部に納まり、且つワゴン部が空間部に納まった状態でも前記収納部に対し物品の出し入れが可能であることを特徴とする収納庫である。
【０００６】
請求項２の考案は、請求項１に記載した収納庫において、ワゴン部が本体部の空間部に納まった状態では、ワゴン部の前面部と本体部の前面部とは略同一面となることを特徴とする収納庫である。
【０００７】
請求項３の考案は、請求項１または２に記載した収納庫において、ワゴン部には、ワゴン部が本体部の空間部に納まった状態で本体部の開口から突出する把持部が備えられていることを特徴とする収納庫である。
【０００８】
請求項４の考案は、請求項１から３のいずれかに記載した収納庫において、ワゴン部が本体部の空間部に納まった状態では、本体部とワゴン部とはデザイン的に統一されていることを特徴とする収納庫である。
【０００９】
請求項５の考案は、請求項１から４のいずれかに記載した収納庫において、ワゴン部は椅子として用いることを特徴とする収納庫である。  
【考案の効果】
【００１０】
本考案の収納庫によれば、収納部を備えた本体部とは独立したワゴン部を備えても、ワゴン部を使用しないときは配置スペースを大きくとらず、邪魔にならない。またワゴン部が本体部に納まった状態では本体部とワゴン部とがデザイン的に統一され、見た目の印象が良いものとなる。
【図面の簡単な説明】
【００１１】
【図１】本考案の実施の形態に係る収納庫の斜視図である。
【図２】図１の収納庫において、ワゴン部が引出された状態の斜視図である。
【図３】図１の収納庫の本体部を断面にした側面図である。
【図４】図１の収納庫の正面図である。
【考案を実施するための形態】
【００１２】
本考案の実施の形態に係る収納庫１を図１から図４にしたがって説明する。
符号３は本体部を示し、この本体部３は左右の側板５、天板７及び背板９によって構成されている。本体部３は前面と下面に開口１１を有している。本体部３には開口１１と連なる空間部１３が設けられている。この空間部１３には収納部としての上側引出し１５、スライドテーブル部１７及び下側引出し１９が配置されており、これらは図示しないスライドレール機構によって、前面の開口１１から引出す状態と空間部１３へ収納する状態とに動作可能となっている。
空間部１３は上側引出し１５、スライドテーブル部１７及び下側引出し１９によって仕切られ、上側引出し１５の下面とスライドテーブル部１７の上面との間は上側収納空間２１となっており、下側引出し１９の下面と設置面Ｆとの間は下側収納空間２３となっている。各側板５の内面と、スライドテーブル部１７及び下側引出し１９の側面との間には隙間がそれぞれ形成されており、これらの隙間はフレーム収納空間２５、２５となっている。
【００１３】
図２において符号３１はワゴン部を示し、このワゴン部３１は略長方形の平板から成るベース板３５、このベース板３５と略同形状の載置板３３、金属製の一対の支持フレーム３７及びキャスター４１によって構成されている。ベース板３５の両側部には支持フレーム３７の下端部がそれぞれ取り付けられており、支持フレーム３７はベース板３５の前寄りに位置している。支持フレーム３７の上端部は載置板３３の両側部にそれぞれ取付けられており、支持フレーム３７は載置板３３の前寄りに位置している。
ベース板３５の下面の四隅にキャスター４１がそれぞれ取付けられている。
【００１４】
符号４５は金属製の把持部を示し、この把持部４５は側面視Ｌ字形の部材によって構成されており、下方へ延びる指掛け部４９を有している。把持部４５は載置板３３の前端部の上面に取付けられており、指掛け部４９が載置板３３の前面より前方に僅かに突出した状態となっている。
【００１５】
ベース板３５は下側収納空間２３に、載置板３３は上側収納空間２１に、支持フレーム３７、３７はフレーム収納空間２５、２５にそれぞれ対応している。
ベース板３５の幅寸法は下側収納空間２３の幅寸法より僅かに小さく、ベース板３５の奥行き寸法は下側収納空間２３の奥行き寸法より僅かに小さく設定されている。また、載置板３３の幅寸法は上側収納空間２１の幅寸法より僅かに小さく、載置板３３の奥行き寸法は上側収納空間２１の奥行き寸法より僅かに小さく設定されている。支持フレーム３７の厚さ寸法はフレーム収納空間２５の幅寸法より僅かに小さく設定されている。
したがって、図１に示すようにベース板３５はキャスター４１と共に下側収納空間２３に、載置板３３は上側収納空間２１に、支持フレーム３７、３７はフレーム収納空間２５、２５にそれぞれ収納することができる。
【００１６】
次に収納庫１の使用方法を説明する。
図１、図３に示すようにワゴン部３１を使用しない場合はワゴン部３１を空間部１３に収納しておく。この状態では、ワゴン部３１の前面部と本体部３の前面部とが略同一面となっている。また把持部４５の指掛け部４９が本体部３の開口１１から突出した状態となっている。
ワゴン部３１を使用する場合には、把持部４５の指掛け部４９に指を掛け、手前に引いてワゴン部３１を開口１１から引出す。そして載置板３３の上に食器等の物を載せて使用する。前述したようにワゴン部３１にはキャスター４１が備えられているので、手で押すだけでワゴン部３１を自在に走行させることができる。したがって、例えば食器に盛られた料理を載置板３３の上に載せて簡単に運ぶことができる。
【００１７】
ワゴン部３１を本体部３に収納する場合には、ワゴン部３１を、その背面側から本体部３の開口１１へ入れて空間部１３へ進入させる。前述のようにベース板３５はキャスター４１と共に下側収納空間２３に、載置板３３は上側収納空間２１に、支持フレーム３７、３７はフレーム収納空間２５、２５にそれぞれ納まるように設定されているため、ワゴン部３１は本体部３に完全に納まる。
上記のようにワゴン部３１を本体部３に収納しておけば、配置スペースを大きくとらず邪魔にならない。またワゴン部３１が本体部３に納まった状態では、本体部３とワゴン部３１とがデザイン的に統一され、見た目の印象が良い。
【００１８】
また、この収納庫１によれば、ワゴン部３１が空間部１３に納まった状態でも、上側引出し１５、スライドテーブル部１７及び下側引出し１９の前側にワゴン部３１が位置しないので、上側引出し１５、スライドテーブル部１７及び下側引出し１９を自由に出入させることができる。従って、上側引出し１５、スライドテーブル部１７及び下側引出し１９に対し、物品としてのカップＣ等の出し入れを自由に行うことが可能である。よって、上側引出し１５、スライドテーブル部１７及び下側引出し１９は収納部としての機能を十分に果たすことができる。
【００１９】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、本体部３の収納部として引出しやスライドテーブル部を配置したが、本体部３に備える部材はこれらに限定されず、棚板等を配置してもよい。
ワゴン部３１は上記した構成に限定されず、載置板３３、ベース板３５及び支持フレーム３７の形状、支持フレーム３７の数を変更してもよい。
【００２０】
本考案の収納庫は、システムキッチンの一部を構成するものとしてもよく、レンジ台、食器棚、玄関に備える下駄箱またはその一部、リビングルーム等に備えるサイドテーブルおよび洗面台などに適用することが可能であり、洗面台等に適用する場合においてはワゴン部を椅子として用いる構成としてもよい。この場合には椅子として使用できるように、その形状、サイズを人が腰掛けるのに都合がよいように設定する。
【産業上の利用可能性】
【００２１】
本考案の収納キャビネットは、家具の製造業において利用することが可能である。
【符号の説明】
【００２２】
１…収納庫                      ３…本体部
５…側板                        ７…天板
９…背板                        １１…開口
１３…空間部                    １５…上側引出し
１７…スライドテーブル部        １９…下側引出し
２１…上側収納空間              ２３…下側収納空間
２５…フレーム収納空間
３１…ワゴン部                  ３３…載置板
３５…ベース板                  ３７…支持フレーム
４１…キャスター                ４５…把持部
４９…指掛け部
Ｆ…設置面                      Ｃ…カップ
【図１】
0003149379.tif 000003
【図２】
0003149379.tif 000004
【図３】
0003149379.tif 000005
【図４】
0003149379.tif 000006